(57)【要約】【課題】ドアスイッチ装置と制御装置の間のリード線の数が多い。【解決手段】ドア１の閉成によって前記ドア１のフック３が係合することで摺動移動する摺動部材６と、前記ドア１の開放を阻止する保持手段１３と、前記保持手段１３を動作させる駆動源１０と、前記保持手段１３の位置を検知する位置検知スイッチ手段１３と、前記摺動部材の近傍に設けたドア開閉検知スイッチ手段２７とを備えたドアスイッチ装置と、前記ドア開閉検知スイッチ手段２７をオンすることでドア閉を検知し、前記ドア開閉検知スイッチ手段２７と前記保持手段１３を動作させる駆動源１０を直列に接続し、前記駆動源１０を動作させる時以外は微小電流によって、常時前記ドア開閉検知スイッチ手段を検知できるようにし、ドアスイッチ装置と制御装置の間のリード線の数の削減をすることができる。【選択図】図２
2013128633.tif 000002
【特許請求の範囲】
【請求項１】
ドアの閉成によって前記ドアのフックが係合して摺動移動する摺動部材と、
前記ドアの開放を阻止する保持手段と、
前記保持手段を動作させる駆動源と、
前記保持手段の位置を検知する位置検知スイッチ手段と、
前記摺動部材の近傍に設けられ、前記ドアの開閉を検知するドア開閉検知スイッチ手段と、を備えたドアスイッチ装置を有する洗濯機であって、
前記ドア開閉検知スイッチ手段は、オンすることによって、ドアの閉成を検知し、
前記ドア開閉検知スイッチ手段と前記保持手段を動作させる駆動源とは直列に接続され、
前記駆動源を動作させる時以外は、常時、微小電流によって前記ドア開閉検知スイッチ手段を検知可能な状態にした洗濯機。
【請求項２】
前記ドアスイッチ装置は、前記ドアの開閉を検知しながら、前記駆動源が動作可能な電流を流す請求項１の洗濯機。
【請求項３】
前記ドアスイッチ装置は、前記保持手段が前記ドアのフックを拘束している時も前記駆動源に微小電流を通電し、前記ドア開閉検知スイッチ手段がドアの開放を検知したら、洗濯用モータを停止させる請求項１の洗濯機。
【発明の詳細な説明】
【技術分野】
【０００１】
本発明はドアスイッチ装置を有する洗濯機に関するものである。
【背景技術】
【０００２】
従来のドラム式洗濯機は、ドアスイッチ装置を有していた（例えば特許文献１参照）。以下その構成について、図７〜図１１を用いて説明する。
【０００３】
図７に示すように、ドア１は洗濯機本体２の開口部に設けられ、開口部を開閉する。図８に示すように、ドア１には、ドアを開閉するためのレバー４を介して矢印Ａの方向に移動自在にフック３が装着されている。このフック３は、洗濯機本体２に設けたドアスイッチ装置５によって、ドア１を閉状態にロックできるようにしている。
【０００４】
ドアスイッチ装置５は、図９および図１０に示すように構成され、摺動部材６はばね７によって左右方向に移動自在としており、ドア１の閉成によってドア１のフック３が係合することで摺動移動する。この摺動部材６の移動によって、操作部材８が回転し、ドア開閉検知スイッチ手段９はドアの開閉を検知するため、ドアが閉まるとフック３によって摺動部材６が右方向に押され操作部材８が回転し、ドア開閉検知スイッチ手段９の接点同士が接触し、導通状態となる。ドアが開くとドア開閉検知スイッチ手段９の接点同士が離れるため、ドアの開閉を検知することができる。モータ１１はドラム１２を回転させる。ソレノイド１０に保持手段１３を連結し、保持手段１３の一部が摺動部材６の一部と勘合し、摺動部材６が係止されてドア１を閉状態にロックするようにしている。
【０００５】
係止手段１４は保持手段１３の位置を係止してドア１をロック状態またはロック解除状態に保持するもので、図１０に示すようなハート形カム１５とばね１６とで構成し、ソレノイド１０の通電を遮断してもハート形カム１５の働きで保持手段１３をその位置に係止してロックし、再度、ソレノイド１０に通電すると保持手段１３の係止位置を変更して、保持手段１３の一部と摺動部材６の一部とが勘合が外れてロックがかからないように構成している。
【０００６】
位置検知手段であるマイクロスイッチ１７は、フック３を外れない状態に保持する保持手段１３の保持状態を検知し、保持されていることを出力するものである。
【０００７】
図１１はドアスイッチ装置の制御ブロック図であり、ドア開閉検知スイッチ手段９、ソレノイド１０、マイクロスイッチ１７（位置検知手段）は、それぞれ独立して制御装置４０と接続されている。制御装置４０は、ソレノイド１０を駆動する駆動装置４１と、これらを制御する演算装置とを有している。また、ドアスイッチ装置と制御装置４０との間には信号や電力等を供給する電線４３が設けられている。
【先行技術文献】
【特許文献】
【０００８】
【特許文献１】特開平１０−２７２２９３号公報
【発明の概要】
【発明が解決しようとする課題】
【０００９】
しかしながら、前記従来の洗濯機の構造では、ドアスイッチ装置のドア開閉検知スイッチ手段９、ソレノイド１０、マイクロスイッチ１７（位置検知手段）は、それぞれ独立して制御装置４０と接続されている。このため、制御装置４０とドアスイッチ装置の各機能部品（ドア開閉検知スイッチ手段９、ソレノイド１０、マイクロスイッチ１７）とを接続するため、６本のリード線（電線４３）が必要となり、配線のための部材や工数が必要となり、コストが掛かるという課題を有していた。
【００１０】
本発明は、前記従来の課題を解決するもので、ドアスイッチ装置と制御装置とを接続する配線の数を低減して、コストを低減することを目的としている。
【課題を解決するための手段】
【００１１】
上記目的を達成するために、本発明の洗濯機は、ドアの閉成によって前記ドアのフックが係合して摺動移動する摺動部材と、前記ドアの開放を阻止する保持手段と、前記保持手段を動作させる駆動源と、前記保持手段の位置を検知する位置検知スイッチ手段と、前記摺動部材の近傍に設けられ前記ドアの開閉を検知するドア開閉検知スイッチ手段とを備えたドアスイッチ装置を有する洗濯機であって、前記ドア開閉検知スイッチ手段はオンすることによってドアの閉成を検知し、前記ドア開閉検知スイッチ手段と前記保持手段を動作させる駆動源とは直列に接続され、前記駆動源を動作させる時以外は、常時、微小電流によって前記ドア開閉検知スイッチ手段を検知可能な状態にしたものである。
【００１２】
これによって、ドアスイッチ装置のドア開閉検知スイッチ手段、ソレノイド等の駆動源、位置検知スイッチ手段と制御装置とを接続するリード線の数が６本から４本に低減され、配線のためのコストを低減することができる。
【発明の効果】
【００１３】
本発明の洗濯機は、ドアスイッチ装置のドア開閉検知スイッチ手段、ソレノイド等の駆動源、位置検知スイッチ手段と制御装置とを接続するリード線の数が６本から４本に低減され、配線のためのコストを低減することができる。
【図面の簡単な説明】
【００１４】
【図１】本発明の実施の形態１における洗濯機の斜視図
【図２】同洗濯機のドアスイッチ装置とドアの斜視図
【図３】（ａ）同洗濯機のドアのフックがドアスイッチ装置に挿入された状態の断面図（ｂ）同洗濯機のドアの押し板部がドアスイッチ装置に挿入された状態の断面図
【図４】同洗濯機のドアスイッチ装置の内部の斜視図
【図５】同洗濯機のドアスイッチ装置の摺動部材を取り除いた内部の平面図
【図６】同洗濯機のドアスイッチ装置の制御ブロック図
【図７】従来の洗濯機の断面図
【図８】従来の洗濯機のドアスイッチ装置とドアの斜視図
【図９】（ａ）従来の洗濯機のドアスイッチ装置の内部の平面図（ｂ）従来の洗濯機のドアスイッチ装置の縦断面図
【図１０】従来の洗濯機のドアスイッチ装置の内部の斜視図
【図１１】従来の洗濯機のドアスイッチ装置の制御ブロック図
【発明を実施するための形態】
【００１５】
本発明は、ドアの閉成によって前記ドアのフックが係合して摺動移動する摺動部材と、前記ドアの開放を阻止する保持手段と、前記保持手段を動作させる駆動源と、前記保持手段の位置を検知する位置検知スイッチ手段と、前記摺動部材の近傍に設けられ前記ドアの開閉を検知するドア開閉検知スイッチ手段とを備えたドアスイッチ装置を有する洗濯機であって、前記ドア開閉検知スイッチ手段は、オンすることによってドアの閉成を検知し、前記ドア開閉検知スイッチ手段と前記保持手段を動作させる駆動源とは直列に接続され、前記駆動源を動作させる時以外は、常時、微小電流によって前記ドア開閉検知スイッチ手段を検知可能な状態にしたものである。
【００１６】
これによって、ドアスイッチ装置のドア開閉検知スイッチ手段、ソレノイド等の駆動源、マイクロスイッチ（位置検知手段）と制御回路を接続するリード線の数が６本から４本に低減され、配線のためのコストを低減することができる。
【００１７】
さらに本発明は、ドアスイッチ装置は、ドアの開閉を検知しながら、駆動源が動作可能な電流を流すようにし、保持手段がドアのフックを拘束している時も駆動源に微小電流を通電し、ドア開閉検知スイッチ手段がドアの開放を検知したら、洗濯用モータを停止させるようにしたものである。
【００１８】
これによって、駆動源が動作中やドアのフックが拘束中に、ドア開閉検知スイッチ手段がドアの開放を検知したら、洗濯用モータを停止させることによって、安全性を確保することができる。
【００１９】
以上、本発明の実施の形態について、図面を参照しながら説明する。なお、この実施の形態によって本発明が限定されるものではない。
【００２０】
（実施の形態１）
図１は本発明の実施の形態１における洗濯機のドアを開いた状態の斜視図、図２はドアスイッチ装置と洗濯機のドアの斜視図である。図１に示すように、洗濯機のフタであるドア１には、フック３が設けられている。洗濯機本体２には、フック挿入穴２１を有するドアスイッチ装置５が内蔵されており、ドア１を閉めた時、フック３は、フック挿入穴２１に収まる。また、図２に示すように、ドア１にはフック３を回動させるためのレバー４が設けられている。また、フック３には、押し板部２２が一体的に設けられている。従って、レバー４によって、フック３と押し板部２２とは共に回動する。ドアスイッチ装置５には、フック３が挿入されるフック挿入穴２１と、押し板部２２が挿入されるドア開検知用穴２３とが設けられている。
【００２１】
図３は、ドアスイッチ装置５の断面図であり、特に、図３（ａ）はドア１のフック３がドアスイッチ装置５に挿入された状態を示し、図３（ｂ）はドア１の押し板部２２がドアスイッチ装置５に挿入された状態を示す。摺動部材６における、フック３が挿入される部分は箱状に形成されており、ドア１を閉めると、フック３がドアスイッチ装置５のフック挿入穴２１に挿入され、摺動部材６は奥方向（図３（ａ）の右方向）に移動する。この動きによってフック３はドアスイッチ装置５の外郭（図３（ａ）の符号５の引き出し線のあたり）に係止されるとともに、箱型の摺動部材６がフック３を（図３（ａ）の）左から右に力を加えて押える。また、フック３と一体的に設けられた押し板部２２がドアスイッチ装置５のドア開検知用穴２３に挿入された時、ドア１の開閉を検知するためのボタン２５は奥方向（図３（ｂ）の右方向）に移動する。なお、押し板部２２の、ボタン２５との当接面は平面で構成されている。
【００２２】
図４はドアスイッチ装置５の内部の斜視図である。フック３によって動く摺動部材６は、スプリング２４によって矢印Ｃの方向に反力が与えられており、ドア１を開くためにレバー４を引き、フック３によって矢印Ｃの方向に摺動部材６を移動させることができる。ドア１が閉まると、ボタン２５は、押し板部２２によって押され、スプリング２６を介してドア開閉検知スイッチ手段であるスイッチ２７を押す。これによって、スイッチ２７はＯＮ状態となる。一方、ドア１が開くことによって、フック３と一体的に設けられた押し板部２２がボタン２５から離れる。これによって、スイッチ２７はＯＦＦ状態となる。なお、ドア１にロックを掛ける時は、駆動源であるソレノイド１０に通電され、保持手段１３が、後述する図５における横方向に移動する。前記横方向に移動した保持手段１３は、連結機構部品２８によって、その移動方向が縦方向に変換され、縦方向に移動する。
【００２３】
図５はドアスイッチ装置５の内部であって、摺動部材６を取り除いた状態を示す平面図である。連結機構部品２８は先端に突起部３０を有しており、突起部３０が移動することによって、摺動部材６が固定されてドア１にロックを掛けたり、逆に、摺動部材６が解放されてドア１のロックを解除することができる。保持手段１３がソレノイド１０によって移動することによって、スプリング２９を介して回転レバー３５が回動し、位置検知スイッチ手段であるスイッチ３１が押される。これによって、ドア１のロックがロック状態ではＯＮ、解除状態ではＯＦＦになり、ドア１のロックがロック状態か解除状態かを検知することができる。ここで、スイッチ２７とスイッチ３１は、それぞれリード線３２、３３が接続されており、洗濯機本体２にある制御装置（図示せず）に、ドア１の開閉信号を送ることができる。
【００２４】
図６はドアスイッチ装置５の制御ブロック図である。ドア開閉検知スイッチ手段であるスイッチ２７とソレノイド１０とは、ドアスイッチ装置内部で直列に接続されている。位置検知スイッチ手段であるスイッチ３１は独立して制御装置４０と接続されている。制御装置４０は、駆動源であるソレノイド１０を駆動する駆動装置４１と、これらを制御する演算装置を有している。また、ドアスイッチ装置５と制御装置４０の間には信号や電力等を供給するための電線４３（例えばリード線３２、３３）が４本設けられている。
【００２５】
以上のように構成されたドアスイッチ装置５を有する洗濯機について、以下その動作、作用を説明する。
【００２６】
ドア１を開くためにレバー４を引き、フック３を回動させると、ドアスイッチ装置５のフック挿入穴２１に収まっているフック３の先端が動くことによって摺動部材６が摺動し、ドア１が開く。ドア１は閉じる方向に押さえられることによって閉められるが、このとき、フック３が付勢力を有しているため、ドアスイッチ装置５のフック挿入穴２１にフック３の先端が挿入され、摺動部材６を摺動させることによって、ドア１を閉成状態に保持することができる。
【００２７】
フック３と押し板部２２とは一体的に形成されているため、ドア１を閉めたとき、フック３の動きと連動して押し板部２２がドアスイッチ装置５のドア開検知用穴２３が挿入され、ドア１の開閉を検知するためのボタン２５が奥方向に移動する。ボタン２５は押し板部２２の回動方向と同一方向に動作方向が設定されている。ボタン２５は、押し板部２２によって押されると、スプリング２６を介してドア開閉検知スイッチ手段であるスイッチ２７を押し、スイッチ２７はＯＮ状態となる。この状態によってドア１が閉まっていると判断される。
【００２８】
ドア１を開ける時は、レバー４と連動してフック３が回動し、押し板部２２がドア開検知用穴２３から離れるため、ボタン２５がスプリング２６によって元に戻り、スイッチ２７はＯＦＦ状態となる。この状態によってドア１が開いていると判断される。
【００２９】
摺動部材６は、スプリング２４によって矢印Ｃの方向に反力が与えられている。ドア１を開くためにレバー４を引くと、フック３によって矢印Ｃの方向に摺動部材６が移動する。洗濯を開始するためにドア１を閉めてロックを掛ける時は、ソレノイド１０が通電され、保持手段１３が横方向に移動し、連結機構部品２８によって、その移動方向が縦方向に変換される。連結機構部品２８は先端に突起部３０を有しており、突起部３０が移動することによって、突起部３０が摺動部材６に嵌って、ドア１を固定したり、突起部３０が摺動部材６から外れて、ドア１を解放したりする。これによって、ドア１のロックを掛けたり、ロックを解除することができる。
【００３０】
保持手段１３がソレノイド１０によって横方向に移動すると、スプリング２９を介して回転レバー３５が回動し、位置検知スイッチ手段であるスイッチ３１が押される。これによって、ドア１のロックがロック状態ではＯＮ、解除状態ではＯＦＦになり、ドア１のロックがロック状態か解除状態かを検知することができる。ここで、スイッチ２７とスイッチ３１には、リード線３２、３３が接続されており、洗濯機本体２にある制御装置に、ドア１の開閉信号を送ることができる。特に、スイッチ２７がＯＦＦになっている状態では、ドア１が開いている状態にあると判断され、洗濯機の制御装置は、洗濯機のモータ（図示せず）の回転を停止させ、洗濯機に搭載された回転ドラム（図示せず）の回転を速やかに停止させる。
【００３１】
ドア開閉検知スイッチ手段であるスイッチ２７とソレノイド１０とは、ドアスイッチ装置内部で直列に接続されている。位置検知スイッチ手段であるスイッチ３１は独立して制御装置４０と接続されている。制御装置４０は、駆動源であるソレノイド１０を駆動する駆動装置４１と、これらを制御する演算装置を有している。ソレノイド１０を駆動する駆動装置４１は、ソレノイド１０を動作させる時以外は、常時、微小電流を通電することによって、ドア開閉検知スイッチ手段であるスイッチ２７が、ドア１の開閉を検知できる状態にしている。なお、ドアスイッチ装置５と制御装置４０との間には信号や電力等を供給するための電線４３（例えばリード線３２、３３）が４本設けられている。
【００３２】
また、ドアスイッチ装置５は、ドア開閉検知スイッチ手段であるスイッチ２７によって、ドア１の開閉を検知しながら、ソレノイド１０が動作できる電流を流している。また、ドア１の開放を阻止する保持手段１３が、ドア１のフック３の拘束時も微小電流をソレノイド１０に通電し、スイッチ２７がドア１の開放を検知したら、洗濯機用のモータを停止させる。
【００３３】
これらによって、ドアスイッチ装置５と制御装置４０とを接続するリード線（電線）の数が４本で済み、配線のためのコストが少なくて済む。さらに、駆動源であるソレノイド１０が動作中やドア１のフック３が拘束中であっても、ドアの開放が検出されたら、洗濯用のモータが停止させることにより、安全性を確保することができる。
【産業上の利用可能性】
【００３４】
以上のように、本発明にかかる洗濯機は、制御装置とドアスイッチ装置との間のリード線（電線）の数を削減することができ、かつ、ドア開閉検知スイッチ手段がドラムの回転を停止させ、安全性を確保することができるので、衣類乾燥機や食器洗い乾燥機等の用途にも適用できる。
【符号の説明】
【００３５】
１    ドア
３    フック
４    レバー
５    ドアスイッチ装置
６    摺動部材
１０  ソレノイド（駆動源）
１３  保持手段
２１  フック挿入穴
２２  押し板部
２３  ドア開検知用穴
２５  ボタン
２７  スイッチ（ドア開閉検知スイッチ手段）
３１  スイッチ（位置検知スイッチ手段）
４０  制御装置
４１  駆動装置
４３  電線
【図１】
2013128633.tif 000003
【図２】
2013128633.tif 000004
【図３】
2013128633.tif 000005
【図４】
2013128633.tif 000006
【図５】
2013128633.tif 000007
【図６】
2013128633.tif 000008
【図７】
2013128633.tif 000009
【図８】
2013128633.tif 000010
【図９】
2013128633.tif 000011
【図１０】
2013128633.tif 000012
【図１１】
2013128633.tif 000013